(57)【要約】【課題】集塵装置におけるフィルターエレメントの着脱を簡単に、しかも作業環境を汚染することなく実施することができる装置を提供する。【解決手段】ハウジング内にフィルターエレメント４を収容し、ハウジング下部１側に含塵ガスの吸気口１５を設け、ハウジング上部２側にフィルターエレメント４を通過した清浄ガスの排気口１６を設けた集塵装置において、ハウジング下部１とハウジング上部２の間に設けた仕切り板３を分離型とし、その仕切り板３にフィルターエレメントを取付けたまま上方に抜き出し可能としたことを特徴とする集塵装置である。ハウジング上部２とハウジング下部１の固定を行うスイング式油圧クランプ６を設けると良い。ハウジング下部１の上端に配置決め案内板を設けると良い。【選択図】    図１
2004267986.tif 000002
【特許請求の範囲】
【請求項１】
ハウジング内にフィルターエレメントを収容し、ハウジング下部側に含塵ガスの吸気口を設け、ハウジング上部側にフィルターエレメントを通過した清浄ガスの排気口を設けた集塵装置において、ハウジング下部とハウジング上部の間に設けた仕切り板を分離型とし、その仕切り板にフィルターエレメントを取付けたまま上方に抜き出し可能としたことを特徴とする集塵装置。
【請求項２】
請求項１記載の集塵装置において、ハウジング上部とハウジング下部の固定を行うスイング式油圧クランプを設けたことを特徴とする集塵装置。
【請求項３】
請求項１又は２記載の集塵装置において、ハウジング下部の上端に、ハウジング上部の取外し及び組立てを容易に行うための位置決め案内板を装着したことを特徴とする集塵装置。
【請求項４】
請求項１〜３のいずれか一項に記載の集塵装置において、ハウジング上部に逆洗エアーヘッダを備え、該逆洗エアーヘッダへ高圧エアーを供給する高圧ホース及びカプラー継手を備えたことを特徴とする集塵装置。
【請求項５】
請求項１〜４のいずれか一項に記載の集塵装置において、ハウジング上部に二次フィルターエレメントを装着したことを特徴とする集塵装置。
【請求項６】
請求項１〜５のいずれか一項に記載の集塵装置において、ハウジング下部内面が、導電性テフロン（登録商標）及び導電性ポリエチレンで形成されていることを特徴とする集塵装置。
【請求項７】
請求項６記載の集塵装置において、導電性テフロン（登録商標）及び導電性ポリエチレンの体積抵抗値が１０８Ωｍ以下であることを特徴とする集塵装置。
【請求項８】
請求項１〜７のいずれか一項に記載の集塵装置において、フィルターエレメントの圧力損失を測定し、フィルターエレメントに付着した粉塵の払い落としに用いる逆洗エアーの噴射時期を制御することを特徴とする集塵装置。
【発明の詳細な説明】
【０００１】
【発明の属する技術分野】
本発明は、フィルターエレメントの交換、着脱を簡易化する機構を改良した集塵装置、例えば、含塵ガス中の微細な粒子を捕集する集塵装置に関する。
【０００２】
【従来の技術】
集塵装置として、ハウジング内にフィルターエレメントを収容し、ハウジングの下部に含塵ガスの吸気口を設け、ハウジング上部にフィルターエレメントを通過した清浄ガスの排気口を設けた構造のものがある。この様な集塵装置において、ハウジング内のフィルターエレメントを交換する場合、ハウジングの上部を外し、ハウジング上部と下部の間にある仕切り板上からフィルターエレメントを一本一本持ち上げて抜き取り、交換作業を行っている。他には、ハウジング下部側面に設けられた扉を開け、一本一本又は数本を横から抜き取り、交換作業を行っている。この作業は、特にフィルターエレメントが大型になるほど重労働であり、なおかつ粉塵が周囲に飛散しやすく作業環境を汚染する問題がある。
【０００３】
そこで、フィルターエレメントを収容するハウジングの側面にフィルターエレメントに引出し口を開閉可能に設け、この引出し口から外方に引出されるスライドレールをハウジング内に設け、このスライドレールにフィルターエレメントを着脱可能に取付けてハウジングの引出し口からスライド式にフィルターエレメントを引出し可能とする提案がある（特許文献１参照）。又、フィルターユニットを抜き差し自在に支持するガイドレールの後端部を引出し口から押し引きすることにより、ガイドピンにテーパ面が案内されてガイドレールが斜め上下方向に移動し、そのガイドレールの後端部を締着手段によって固定するようにし、一人の作業者によって容易にフィルターユニットの着脱作業を行うことができる提案もある（特許文献２参照）。
【０００４】
【特許文献１】
特開平７−２８４６２０号公報
【特許文献２】
特開２０００−５１６２８号公報
【０００５】
【発明が解決しようとする課題】
本発明は従来とは異なる構成によって、集塵装置におけるフィルターエレメントの着脱を簡単にしかも作業環境を汚染することなく実施することができる装置を提供するものである。
【０００６】
【課題を解決するための手段】
本発明は、下記の構成よりなる。
（１）ハウジング内にフィルターエレメントを収容し、ハウジング下部側に含塵ガスの吸気口を設け、ハウジング上部側にフィルターエレメントを通過した清浄ガスの排気口を設けた集塵装置において、ハウジング下部とハウジング上部の間に設けた仕切り板を分離型とし、その仕切り板にフィルターエレメントを取付けたまま上方に抜き出し可能としたことを特徴とする集塵装置。
（２）前記（１）記載の集塵装置において、ハウジング上部とハウジング下部の固定を行うスイング式油圧クランプを設けたことを特徴とする集塵装置。
（３）前記（１）又は（２）記載の集塵装置において、ハウジング下部の上端に、ハウジング上部の取外し及び組立てを容易に行うための位置決め案内板を装着したことを特徴とする集塵装置。
（４）前記（１）〜（３）のいずれか一項に記載の集塵装置において、ハウジング上部に逆洗エアーヘッダを備え、該逆洗エアーヘッダへ高圧エアーを供給する高圧ホース及びカプラー継手を備えたことを特徴とする集塵装置。
（５）前記（１）〜（４）のいずれか一項に記載の集塵装置において、ハウジング上部に二次フィルターエレメントを装着したことを特徴とする集塵装置。
（６）前記（１）〜（５）のいずれか一項に記載の集塵装置において、ハウジング下部内面が、導電性テフロン（登録商標）及び導電性ポリエチレンで形成されていることを特徴とする集塵装置。
（７）前記（６）記載の集塵装置において、導電性テフロン（登録商標）及び導電性ポリエチレンの体積抵抗値が１０８Ωｍ以下であることを特徴とする集塵装置。
（８）前記（１）〜（７）のいずれか一項に記載の集塵装置において、フィルターエレメントの圧力損失を測定し、フィルターエレメントに付着した粉塵の払い落としに用いる逆洗エアーの噴射時期を制御することを特徴とする集塵装置。
【０００７】
すなわち、本発明は、ハウジング下部とハウジング上部との間に設けた仕切り板を分離型にし、その仕切り板にフィルターエレメントとベンチュリー管を取付け、吊上げ装置等を用いてまとめて上方に抜き取ることにより、作業負荷の軽減及び周囲への粉塵飛散を抑制する。
【０００８】
従来、ハウジング下部とハウジング上部は、ボルト・ナットを用いて固定されており、本数が多く工具が必要であり作業負荷が大きい。本発明では、ハウジング下部に装着したスイング式油圧クランプを用いてハウジング上部の固定及び開放作業を自動化し、フィルターエレメントの交換作業の簡素化を図る。
【０００９】
ハウジング上部の組立て時、ハウジング下部への位置決め作業に時間が掛かるが、本発明では位置決め案内板の装着により、簡単に位置決めが行える。また、ハウジング上部には逆洗エアーヘッダが取付けられており、高圧エアーの供給が不可欠で従来は金属配管で施行されている。本発明では、高圧エアー供給を高圧ホースとカプラー継手で行うことにより、ハウジング上部の交換作業の簡素化を図る。
【００１０】
高性能フィルターエレメントの捕集効率は９９．９９９％となり、数μｍ以下の微粉は微量ではあるがフィルターエレメントを通過し、環境汚染となっている。本発明では、ハウジング上部の内部に二次フィルターエレメントを設けることにより微量粉塵の洩れを改善し、環境汚染を防止する。
【００１１】
製品捕集を目的とした集塵装置では、ハウジング及びフィルターエレメントの切替え清掃が必要となり、ハウジング内面をバフ研磨して付着及び清掃性を改善している。本発明では、金属表面よりも界面張力が低い導電性テフロン（登録商標）及び導電性ポリエチレンでハウジング内面を処理することにより付着性の高い粉体の回収率及び清掃性を改善する。
【００１２】
フィルターエレメントに付着した粉塵の払い落としに逆洗エアーを噴射するが、従来は連続で作動している。本発明では、フィルターエレメントの圧力損失が設定圧力以上になった時点で作動する様、差圧検知スイッチを装着し、パルス制御盤の運転・停止することにより、省エネルギー化を図る。
【００１３】
【発明の実施の形態】
図１から図３は、この発明に係る集塵装置の実施例を示している。大きくハウジング下部１、ハウジング上部２及びフィルターカートリッジ３Ａからなる。
ハウジング下部１には含塵ガスの吸気口１５を設け、この吸気口１５はハウジング下部１内部に突き出しており、先端の下側が開口し、上方のフィルターエレメント４によって捕集した粉塵が落下した際に、吸気口１５内に粉塵が入らないようになっている。ハウジング下部１の上方に、分離型仕切り板３にフィルターエレメント４及びベンチュリー管５を組合せたフィルターカートリッジ３Ａを設け、ここで粉塵が濾過される。ハウジング上部２には清浄ガス排気口１６を設け、逆洗エアー配管１８、逆洗エアーヘッダ１４、逆洗エアーパイロット弁１３及び二次フィルターエレメント１２から構成される。
ハウジングの形状は、角形及び円筒形共に製作できるが、シール性、加工性で円筒形が有利である。
【００１４】
フィルターエレメント交換を簡易化するために、ハウジング上部２とハウジング下部１との接合に、スイング式油圧クランプ６により、工具を使用せず油圧ポンプ７の運転・停止にて行なえる機構を持つ。すなわち、油圧ポンプ７によって作動するスイングシリンダー８を作用させクランプ９を作動させる。また、逆洗エアーヘッダ１４への高圧エアー供給を、高圧ホース２０及びカプラー継手２１とし着脱を簡素化してある。ハウジング上部２の分解、組立て作業の簡素化を図るため、ハウジング下部１に位置決め案内板１９を装着する。また、ハウジング下部内面１７は導電性テフロン（登録商標）及び導電性ポリエチレンで形成されている。
【００１５】
フィルターエレメント４及びベンチュリー管５は全て、分離型仕切り板に取付けフィルターカートリッジ３Ａの状態とし、フィルターエレメント交換時はこのフィルターカートリッジ３Ａを上方へ引き抜くことにより交換作業が簡易化できる。又、フィルターエレメント４は一本毎に分離型仕切り板３に取付けられており、一本毎の交換も可能な構造となっている。このフィルターエレメント交換は、小型集塵装置では人手で、大型集塵装置では吊上げ装置２２を用いて作業を行う。
【００１６】
上記フィルターエレメント４を形成する素材としては、繊維、プラスチック、セラミック、金属等、例えば、ポリエステル繊維表面に四フッ化エチレンを形成したもの等が使用できる。また、形状では円筒形、円筒プリーツ形、封筒形等が使用できる。
【００１７】
上記フィルターエレメントの捕集効率は、高精度でも９９．９９９％と微量な粉塵が外部へ洩れるため、ハウジング上部２内部に二次フィルター１２を装備することにより捕集効率を向上させることができる。そのフィルターエレメントとしてＨＥＰＡフィルター等が有効である。
【００１８】
フィルターエレメントの交換が簡易化できる為、この集塵装置での製品捕集が可能となりハウジング内面１７に金属研磨表面より界面張力が低い、導電性テフロン（登録商標）及び導電性ポリエチレンで被覆し製品回収率及び清掃性を改善した。表面被覆材料の静電気発生を抑えるため、これら素材の体積抵抗率は１０８Ωｍ以下とすることが望ましい。
【００１９】
フィルターエレメントに付着した粉塵の払い落としには、逆洗エアーの噴射が有効であり、通常は連続的に噴射しているが、本集塵装置にはフィルターエレメントの圧力損失を測定する差圧スイッチ１０を装着し、フィルターエレメントの圧力損失を計測しながら逆洗エアー制御装置１１にて必要に応じ噴射することにより、省エネルギー化を行なっている。
【００２０】
【発明の効果】
請求項１、２、３、４は、従来の集塵装置に比べ、フィルターエレメントの交換を極めて簡易に、しかも周囲への粉塵の飛散を極力防止しながら行うことができる。
請求項５は、二次フィルターの装着により、粉塵の捕集効率を向上させ、外部への環境汚染を防止することができる。
請求項６、７は、フィルターエレメントの交換が簡易に行え、なおかつ、ハウジング本体の清掃性も改善できるためこの集塵装置での製品捕集が可能となる。
請求項８は、フィルターエレメントの逆洗浄エアーの使用量を低減でき、省エネルギー化が図れる。
【図面の簡単な説明】
【図１】本発明の実施例の断面図である。
【図２】図１におけるスイング式油圧クランプの拡大図である。
【図３】フィルターエレメントの交換作業の説明図である。
【符号の説明】
１    ハウジング下部
２    ハウジング上部
３    仕切り板
３Ａ  フィルターカートリッジ
４    フィルタ−エレメント
５    ベンチュリー管
６    スイング式油圧クランプ
７    油圧ポンプ
８    スイングシリンダー
９    クランプ
１０    差圧スイッチ
１１    逆洗エアー制御装置
１２    二次フィルター
１３    パイロットバルブ
１４    逆洗エアーヘッダ
１５    含塵ガス吸気口
１６    清浄ガス排気口
１７    ハウジング内面
１８    逆洗エアー配管
１９    位置決め案内板
２０    高圧ホース
２１    カプラー継手
２２    吊上げ装置
【図１】
2004267986.tif 000003
【図２】
2004267986.tif 000004
【図３】
2004267986.tif 000005